(57)【要約】      （修正有）【課題】骨安定化機器、システム、及び方法を提供する。【解決手段】骨安定化システムは、骨と接触するように構成された上位表面及び下位表面を有する骨プレート１００を含み、骨プレートが、上位表面１０６から下位表面１０７に延在する開口部を有している。開口部は、係止締結具または圧縮締結具のいずれかであり得る締結具１７０を受容するように構成される。係止締結具は、骨プレートと係合し、これを係止するように構成された、ねじ山付きヘッド部分を有し、圧縮締結具は、骨を動的に圧縮するように構成される。【選択図】図１
2018134395.tif 000002
【特許請求の範囲】
【請求項１】
安定化システムであって、
骨と接触するように構成された上位表面及び下位表面を有する骨プレートであって、前記骨プレートが、前記上位表面から前記下位表面に延在する貫通開口部を有し、前記貫通開口部が、前記下位表面に近位のねじ山付き部分及び前記上位表面に近位のねじ山なし部分を含む、骨プレートと、
前記貫通開口部と係合し、かつ前記骨プレートを前記骨に固設するように構成された締結具であって、前記貫通開口部が、係止締結具及び圧縮締結具のうちの一方を受容するように構成される、締結具と、を備える、安定化システム。
【請求項２】
前記ねじ山なし部分は、前記ねじ山なし部分が前記プレートの前記上位表面の近くでより広く、かつ前記ねじ山付き部分に向かってより狭いように、略円錐形状である、請求項１に記載の安定化システム。
【請求項３】
前記ねじ山なし部分は、略凹状表面を有する、請求項２に記載の安定化システム。
【請求項４】
前記ねじ山付き部分及び前記ねじ山なし部分は、同軸である、請求項１に記載の安定化システム。
【請求項５】
前記係止締結具は、前記ねじ山付き部分と係合し、かつ前記骨プレートに係止するように構成された、ねじ山付きヘッド部分を有する、請求項１に記載の安定化システム。
【請求項６】
前記圧縮締結具は、前記ねじ山なし部分と係合し、かつ前記骨を動的に圧縮するように構成された、実質的に平滑なヘッド部分を有する、請求項１に記載の安定化システム。
【請求項７】
前記ねじ山なし部分は、前記ねじ山付き部分に隣接する円錐部分、及び前記円錐部分に隣接するボウル部分を備える、請求項１に記載の安定化システム。
【請求項８】
前記円錐部分は、前記ボウル部分の近位に最大直径を有し、前記ボウル部分は、前記最大直径よりも大きいボウル直径を備える、請求項７に記載の安定化システム。
【請求項９】
前記ボウル部分は、側壁、及び前記側壁と前記円錐部分との間の環状表面を備える、請求項７に記載の安定化システム。
【請求項１０】
前記ボウル部分は、前記環状表面上、かつ前記側壁内に位置するボタンを受容及び保持するように構成される、請求項７に記載の安定化システム。
【請求項１１】
前記圧縮締結具は、前記環状表面と係合するように構成された下位表面を有するボタンと、前記下位表面が前記環状表面と係合しているときに前記貫通孔と連通している少なくとも１つのねじ孔と、を備える、請求項１０に記載の安定化システム。
【請求項１２】
前記ねじ山付きヘッド部分は、前記締結具を前記プレートに係止するために前記プレートの前記ねじ山付き部分において材料を変位させるように構成された自己形成ねじである、請求項１に記載の安定化システム。
【請求項１３】
安定化システムであって、
骨と接触するように構成された上位表面及び下位表面を有する骨プレートであって、前記骨プレートが、前記上位表面から前記下位表面に延在する貫通開口部を有し、前記貫通開口部が、前記下位表面に近位のねじ山付き部分及び前記上位表面に近位のねじ山なし部分を含む、骨プレートと、
前記貫通開口部によって受容されるように構成され、かつ前記骨内に挿入されるように構成された係止締結具であって、前記骨プレートに係止するように構成された、ねじ山付きヘッド部分を有する、係止締結具と、
前記貫通開口部によって受容されるように構成され、かつ前記骨内に挿入されるように構成された圧縮締結具であって、前記骨を動的に圧縮するように構成された実質的に平滑な部分を有する、圧縮締結具と、を備える、安定化システム。
【請求項１４】
前記ねじ山なし部分は、前記ねじ山付き部分に隣接する円錐部分、及び前記円錐部分に隣接するボウル部分を備える、請求項１３に記載の安定化システム。
【請求項１５】
前記圧縮締結具は、前記円錐部分によって受容されるように構成される、請求項１４に記載の安定化システム。
【請求項１６】
前記圧縮締結具は、前記ボウル部分によって受容されるように構成される、請求項１４に記載の安定化システム。
【請求項１７】
前記圧縮締結具は、前記ボウル部分内への挿入のために構成された第１のボタン、及び前記骨プレートから遠位の前記骨と係合するように構成された第２のボタンを備える、請求項１６に記載の安定化システム。
【請求項１８】
前記ねじ山付きヘッド部分は、前記締結具を前記プレートに係止するために前記プレートの材料を変位させるように構成された自己形成ねじである、請求項１３に記載の安定化システム。
【請求項１９】
骨と接触するように構成された上位表面及び下位表面を有する骨プレートを備える安定化システムであって、前記骨プレートが、前記上位表面から前記下位表面に延在する貫通開口部を有し、前記貫通開口部が、
雌ねじ及び第１の直径を有する第１のボアと
ねじ山なし円錐側壁、及び前記第１の直径よりも大きい第２の直径を有する第２のボアと、
前記側壁を囲む環状表面、及び前記第２の直径よりも大きい第３の直径を有する第３のボアと、
を含む、少なくとも３つの異なる同軸ボアによって形成される、安定化システム。
【請求項２０】
前記貫通開口部によって受容されるように構成され、かつ前記骨内に挿入されるように構成された係止締結具であって、前記雌ねじにおいて前記骨プレートに係止するように構成された、ねじ山付きヘッド部分を有する、係止締結具、ならびに
前記貫通開口部によって受容されるように構成され、かつ前記骨内に挿入されるように構成された圧縮締結具であって、前記円錐側壁及び前記環状表面のうちの一方と係合し、かつ前記骨を動的に圧縮するように構成された実質的に平滑な部分を有する、圧縮締結具、
のうちの少なくとも一方をさらに備える、請求項１９に記載の安定化システム。
【発明の詳細な説明】
【技術分野】
【０００１】
関連出願の相互参照
本出願は、２０１６年８月１７日に出願された米国特許出願第１５／２３８，７７２号の一部継続出願である、２０１７年１月１３日に出願された米国特許出願第１５／４０５，３６８号の一部継続出願であり、これらは、全ての目的に対するその全体の参照によって本明細書に組み込まれる。
【０００２】
本開示は、外科用機器、より具体的には、例えば、外傷への適用のための安定化システムに関する。
【背景技術】
【０００３】
骨折は、１つ以上のプレートを使用して、脛骨及び腓骨を含む骨幹等の骨の内部固定によって、しばしば、治療される。プレートは、例えば、骨とプレートに対して圧縮力を提供するヘッドとを係合する、ねじによって骨折した骨に対して保持される。プレート及び骨は、したがって、治癒中に骨折した骨を補強するために、プレートの骨接触表面と骨表面との間に主として荷重を移す様式で互いに対して力を加えられる。このプレート固定の様式は、荷重の移動が散逸されることを可能にする、プレートと骨幹表面との間の大きな接触面積があり得るので、概して、骨において比較的低い応力集中をもたらす。骨を動的に圧縮することができる係止ねじ、非係止ねじ、または両方の組み合わせを使用する要望があり得る。当然のことながら、プレートの設計、ねじの種類、ならびに係止及び／または非係止性能は、骨折の位置及び種類に基づいて変更され得る。
【０００４】
したがって、適切な解剖学的エリアに安定化を提供し、一方で骨の動的圧縮のための適切な係止及び／または非係止性能を提供する、プレート固定システムに対するニーズがある。
【発明の概要】
【０００５】
本概要は、発明を実施するための形態において以下にさらに説明されるものの簡略化された形態において概念の抜粋を導入するために提供される。本概要は、請求項に記載された対象の重要な特徴または本質的特徴を確認することを意図されるものではなく、請求項に記載された対象の範囲を限定することを意図されるものでもない。
【０００６】
実施形態によると、安定化システムは、足首の骨折の処置において骨を固定するように構成された複数のプレートを含み得る。解剖学的構造の骨プレートは、骨折のための周知かつ確立された処置方法を容易化する。例示的な安定化システムの利点は、種々の処置選択肢を使用するための利用可能性である。靭帯結合を修復するためにねじまたは縫合糸ボタンを使用するか否かは、しばしば、外科医の選好であり、いずれも受け入れることができるプレートを提供することが有利である。
【０００７】
一実施形態において、安定化システムは、骨と接触するように構成された上位表面及び下位表面を有する骨プレートを備える。骨プレートは、上位表面から下位表面に延在する貫通開口部を有する。貫通開口部は、下位表面に近位のねじ山付き部分、及び上位表面に近位のねじ山なし部分を含む。締結具は、貫通開口部と係合し、かつ骨プレートを骨に固設するように構成される。貫通開口部は、係止締結具及び圧縮締結具のうちの１つを受容するように構成される。
【０００８】
代替的実施形態において、安定化システムは、骨と接触するように構成された上位表面及び下位表面を有する骨プレートを備える。骨プレートは、上位表面から下位表面に延在する貫通開口部を有する。貫通開口部は、下位表面に近位のねじ山付き部分、及び上位表面に近位のねじ山なし部分を含む。係止締結具は、貫通開口部によって受容されるように構成され、骨内に挿入されるように構成される。係止締結具は、骨プレートに係止するように構成されたねじ山付きヘッド部分を有する。圧縮締結具は、貫通開口部によって受容されるように構成され、骨内に挿入されるように構成される。圧縮締結具は、骨を動的に圧縮するように構成された実質的に平滑な部分を有する。
【０００９】
また別の実施形態において、安定化システムは、骨と接触するように構成された上位表面及び下位表面を有する骨プレートを備える。骨プレートは、そこにおいて、上位表面から下位表面に延在する貫通開口部を有する。貫通開口部は、雌ねじ及び第１の直径を有する第１のボアと、ねじ山なし円錐側壁及び第１の直径よりも大きい第２の直径を有する第２のボアと、側壁を囲む環状表面及び第２の直径よりも大きい第３の直径を有する第３のボアと、を含む、少なくとも３つの異なる同軸ボアによって形成される。
【図面の簡単な説明】
【００１０】
本発明の他の態様、特徴、及び利点が、以下の発明を実施するための形態、添付の請求項、及び同様の参照番号が類似または同一要素とみなす添付図面からより完全に明らかになるであろう。
【図１】第１の例示的な実施形態による側方遠位腓骨プレートの斜視図である。
【図２】骨に固定された、図１に示される側方遠位腓骨プレートの遠位端部の拡大図である。
【図３】貫通開口部に挿入された非係止締結具を有する、図１に示される側方遠位腓骨プレートを通って延在する、第１の（シャフト）貫通開口部の断面図である。
【図３Ａ】貫通開口部に挿入された係止締結具を有する、図１に示される側方遠位腓骨プレートを通って延在する、第１の貫通開口部の断面図である。
【図４】図１に示される側方遠位腓骨プレートを通って延在する第２の（靭帯）孔の断面図である。
【図５】折れた腓骨に固定された、図１に示される側方遠位腓骨プレートを示すＸ線図である。
【図６】第２の例示的な実施形態による後側方遠位腓骨プレートの斜視図である。
【図７】第３の例示的な実施形態によるフックプレートの斜視図である。
【図８】図７に示されるフックプレートの遠位端部の拡大斜視図である。
【図９】図８に示されるフックプレートの遠位端部の側面図である。
【図１０】本実施形態のプレートを骨に固定するために使用される、組み合わせ深さゲージ及びドリルガイド器具の斜視図である。
【発明を実施するための形態】
【００１１】
図面において、同様の番号は、全体を通して同様の要素を示す。一定の用語法が、便宜上のためだけに、本発明の限定としてみなされることなく、本明細書で使用される。用語法は、具体的に言及される語、その派生語、及び類似の意味の語を含む。以下に例解される実施形態は、網羅的であること、または本発明を開示される正確な形態に限定することを意図されるものではない。これらの実施形態は、本発明の原理及びその応用及び実際の使用を最良に説明するように、かつ当業者が本発明を最良に利用することを可能にするように選択され説明される。
【００１２】
「一実施形態」または「実施形態」に対する本明細書における参照は、実施形態に関して説明される特定の特徴、構造、または特性が、本発明の少なくとも１つの実施形態に含まれ得ることを意味する。本明細書の種々の箇所における語句「一実施形態において」の記載は、必ずしも同一実施形態を全て意味するものではなく、別個のまたは代替的実施形態が必ずしも他の実施形態の相互排他であるものではない。同じことが「実施」という用語に対して適用される。
【００１３】
本出願において使用される、「例示的な」という語は、例、事例、または例解として提供することを意味するように本明細書で使用される。「例示的な」ものとして本明細書で説明される任意の態様または設計は、必ずしも他の態様または設計よりも好ましいかまたは有利なものとして解釈されるわけではない。むしろ、例示的なという語の使用は、具体的様式で概念を提示するように意図されるものである。
【００１４】
加えて、「または」という用語は、排他的な「または」ではなく、包括的な「または」を意味するように意図されるものである。つまり、別途明示されない限り、または文脈から明らかではない限り、「Ｘは、ＡまたはＢを用いる」は、そのまま全てを含んだ順列を意味するように意図されるものである。つまり、ＸがＡを用いる、ＸがＢを用いる、またはＸがＡ及びＢの両方を用いる場合、「ＸがＡまたはＢを用いる」は、前述の事例の全てにおいて満たされる。加えて、本出願及び添付の請求項で使用される冠詞「ａ」及び「ａｎ」は、概して、別途明示されない限り、または文脈から単数形を対象とすることが明らかでない限り、「１つ以上」を意味するように解釈されるべきである。
【００１５】
別途明白に記述されない限り、各数値及び範囲は、「約」または「ほぼ」という語がその値または範囲の値に先行しているかのように、おおよそのものであるとして解釈されるべきである。
【００１６】
請求項における図番及び／または図の参照符号の使用は、請求項の解釈を容易化するために、請求項に記載された対象の１つ以上の可能な実施形態を確認するために意図されるものである。このような使用は、これらの請求項の範囲を対応する図に示される実施形態に必然的に限定するものとして解釈されるべきではない。
【００１７】
本明細書で明らかにされる例示的な方法のステップは、必ずしも説明された順番で実施されることを要求されるものではないことが理解されるべきであり、その方法のステップの順番は、単に例示的なものであるように理解されるべきである。同様に、本発明の種々の実施形態に矛盾しない方法において、追加のステップが、その方法に含まれてもよく、一定のステップが、省略または組み合わせられてもよい。
【００１８】
以下に方法の請求項における要素がある場合、対応する符号と共に特定の順序で列挙されるが、請求項の列挙がこれらの要素のうちのいくつかまたは全てを実施するための特定の順序を別途暗示しない限り、これらの要素は、その特定の順序で実施されるように限定されることを必ずしも意図されるものではない。
【００１９】
また本説明の目的のために、「連結する」、「連結している」、「連結された」、「接続する」、「接続している」、または「接続された」という用語は、２つ以上の要素を直接的または間接的に互いに接合または接続する、当分野で知られるかまたは今後開発される任意の様式を意味し、１つ以上の追加の要素の介在が考えられるが、必須ではない。反対に、「直接的に結合される」、「直接的に接続される」等という用語は、このような追加の要素がないことを暗示する。
【００２０】
本開示は、骨折、特に足首の骨折を修復するために使用され得るプレート、固設機器、システム、及び関連方法の実施形態を提供する。
【００２１】
具体的には、実施形態は、骨の動的圧縮のための係止及び／または非係止締結具による骨プレート固定を対象にする。孔設計は、締結具の固定角度ならびに／または多軸係止及び／もしくは非係止を可能にし得る。いくつかの実施形態は、プレート材料を変位させるように構成された自己形成ねじを有する係止締結具を含み、これによって締結具をプレートに係止する。
【００２２】
プレートの例示的な実施形態は、足首の骨折を修復するために使用されるが、当業者は、プレートが大腿骨、遠位脛骨、近位脛骨、近位上腕骨、遠位上腕骨、鎖骨、腓骨、尺骨、橈骨、足の骨、手の骨、または他の好適な１つもしくは複数の骨のうちの１つ以上に接触するように適合され得ることを認識するであろう。骨プレートは、曲線状でもよく、輪郭付けられてもよく、直線状でもよく、または平坦でもよい。プレートは、シャフト部分から外に広がるか、シャフト部分を有するＬ字、Ｔ字、Ｙ字等を形成するか、または処置される骨の解剖学的構造にぴったり合うように任意の他の適切な形状を形成する、骨幹端または骨幹等の特定の骨表面に適合するように輪郭付けられたヘッド部分を有し得る。
【００２３】
骨プレートは、チタン、ステンレス鋼、コバルトクロム、炭素複合材料、ポリエーテルエーテルケトン（ＰＥＥＫ）、ポリエチレン、超高分子量ポリエチレン（ＵＨＭＷＰＥ）、吸収性ポリ乳酸（ＰＬＡ）、ポリグリコール酸（ＰＧＡ）等のプラスチックもしくはポリマー、このような材料の組み合わせもしくは合金、または骨に固設され骨を保持するために十分な強度を有し、一方で体内に移植されるために十分な生体適合性も有する任意の他の適切な材料からなり得る。同様に、締結具は、チタン、コバルトクロム、コバルトクロムモリブデン、ステンレス鋼、炭化タングステン、これらの材料の組み合わせもしくは合金、または他の適切な生体適合性材料からなり得る。上のリストの材料は、骨プレート及び締結具が作製される多くの一般的な材料を含むが、任意の適切な材料からなる骨プレート及び締結具が考えられることが理解されるべきである。
【００２４】
本開示の実施形態ならびにその種々の特徴及び利点の詳細が、添付図面において説明及び／または例解されると共に以下の説明で詳述される、非限定的実施形態及び例を参照してより完全に説明される。一実施形態の特徴は、本明細書で明白に記述されないとしても当業者が認識するように、他の実施形態によって用いられ得る。周知の構成要素及び処理技術の説明は、本開示の実施形態を不必要に不明瞭にしないように省略され得る。本明細書で使用される例は、単に本開示が実施され得る方式の理解を容易化し、当業者が本開示の実施形態を実施することをさらに可能にするように意図されるものである。したがって、本明細書の例及び実施形態は、添付の請求項及び適用法によってのみ定義される、本開示の範囲を限定するものとして解釈されるべきではない。
【００２５】
図１〜５を参照すると、第１の例示的な実施形態による側方遠位腓骨プレート１００（「プレート１００」）が示される。図２及び５を具体的に参照すると、プレート１００は、腓骨５０の側方表面５２に固定される。プレート１００は、遠位腓骨５０の骨折及び／または靭帯結合の断裂を処置するために使用され得、図１で示されるような、予め輪郭付けられた形状を有し得る。代替的に、プレート１００は、特定の骨構造に順応するために使用前に輪郭付けられ得る。
【００２６】
プレート１００は、概して中心長手方向軸１０４に沿って延在する長尺本体１０２を有する。プレート１００は、近位端部１０８と遠位端部１１０との間に延在する上位表面１０６、及び骨と接触するように構成された下位表面１０７を有する。本体部分１１２は、近位端部１０８と遠位端部１１０との間に延在し、かつ本体部分１１２が近位端部１０８に近位の略平面的な部分１０９、及び遠位端部１１０に近位の輪郭付き部分１１１から遷移する遷移区分１１３を有する。
【００２７】
本明細書で使用される、「輪郭付き」という用語は、輪郭付き部分１１１が有限半径を有する表面（上位表面１０６、下位表面１０７、または両方）を含むように「曲線状」であることを意味する。輪郭は、必ずしも一定である必要はなく、輪郭付き部分１１１の曲率半径は、輪郭付き部分１１１の長さ及び幅に沿って変更可能である。例示的な実施形態において、輪郭付き部分１１１は、プレート１００が固定される腓骨等の骨の輪郭を適合するように輪郭付けられ得る。
【００２８】
例示的な実施形態において、近位端部１０８及び遠位端部１１０は、各々、平滑な丸みを帯びた端部及びエッジを含む。本体部分１１２は、平滑な丸みを帯びたエッジによって輪郭付けられる。平滑な丸みを帯びた端部及びエッジは、不注意に係合すること、及びいかなる隣接組織を切り裂くことの潜在性も排除する。
【００２９】
本体部分１１２はまた、その中に形成され、かつ上位表面１０６から下位表面１０７に延在する、複数の異なる種類の貫通開口部を含む。プレート１００において開示された異なる種類の貫通開口部は、近位端部１０８から遠位端部１１０に検討されることになるが、当業者は、貫通開口部が異なる配置、異なる順番、及びプレート１００の長さ全体を通して共に混合されて位置し得ることを認識するであろう。
【００３０】
図３を参照すると、貫通開口部１１４は、下位表面１０７に近位のねじ山付き部分１１６、及び上位表面１０６に近位のねじ山なし部分１１８を含むシャフト孔である。貫通開口部１１４は、長手方向軸１０４に沿って延在し得る。
【００３１】
ねじ山付き部分１１６及びねじ山なし部分１１８は、同軸である。シャフト孔は、係止及び非係止ねじの両方を受容し得、結果として「積層」設計をもたらし、非係止孔幾何形状、ねじ山なし部分１１８は、下にある係止ねじ山付き部分１１６の上部にある。
【００３２】
貫通開口部１１４は、代替的に、係止ねじまたは非係止（圧縮）ねじからなる締結具を受容し得る。例示的な実施形態において、ねじ１６０は、例えば、３．５ｍｍまたは４．０ｍｍねじであり得る。
【００３３】
図３は、貫通開口部１１４内に挿入された非係止ねじ１６０を示す。ねじ山なし部分１１８は、ねじ山なし部分１１８がプレート１００の上位表面１０６の近くでより広く、ねじ山付き部分１１６に向かってより狭いように、略円錐形状である。ねじ１６０は、ねじ山なし部分１１８によって受容され、これと係合し、かつ骨５０へのプレート１００の固定後に骨５０を動的に圧縮するように構成された、ヘッド１６４の実質的に平滑な凸状部分１６２を有する。ねじ山なし部分１１８は、ねじ１６０のヘッド１６４の凸状表面部分１６２と嵌合するように略凹状表面１１９を有する。
【００３４】
ねじ１６０のシャフト１６６は、骨５０内にねじ留めするように構成される遠位ねじ１６８を有する。シャフト１６６及びねじ１６８は、貫通開口部１１４の直径よりも小さい直径を有し、このためシャフト１６６は、貫通開口部１１４のねじ山付き部分１１６と係合することなく貫通開口部１１４を通過することができる。
【００３５】
係止ねじ１７０が図３Ａにおいて示される。係止ねじ１７０は、貫通開口部１１４のねじ山付き部分１１６と係合し、かつねじ１７０をプレート１００に係止するように構成された、ねじ山付きヘッド部分１７２を有する。ねじ山付きヘッド部分１７２は、締結具１７０をプレート１００に係止するために、プレート１００のねじ山付き部分１１６において材料を変位させるように構成された自己形成ねじである。
【００３６】
図１で示される、第２の種類の貫通開口部１２０は、Ｋワイヤ１７４がそこを通って通過することを可能にるようにサイズ決め及び寸法決めされ得る。例示的な実施形態において、貫通開口部１２０は、１．６ｍｍＫワイヤがそこを通って通過することを可能にするようにサイズ決めされるが、当業者は、他のサイズの貫通開口部１２０が他のサイズのＫワイヤのために提供され得ることを認識するであろう。図１に記されるように、１つ以上の貫通開口部１２０は、プレート１００の長さに沿って離間され、必ずしも長手方向軸１０４と整列されない。
【００３７】
プレート１００において提供され得る第３の種類の貫通開口部は、長尺スロット１３０である。長尺スロット１３０は、例えば、長手方向軸１０４に沿って延在し得る。長尺スロット１３０は、固設部材挿入位置のある範囲を可能にし得る。例示的な実施形態において、１つの長尺貫通開口部１３０が提供されるが、当業者は、プレート１００及び貫通開口部１３０の長さに応じて、１つ以上多い貫通開口部１３０が提供され得ることを認識するであろう。
【００３８】
スロット１３０は、ねじ１６０等の固設部材が各スロット１３０の長さに沿って有限位置で挿入されることを可能にするために略平滑な側壁を含む。リブ１３２は、上位表面１０６の下でスロット１３０の内周の周囲に延在する。例示的な実施形態において、ねじ１３０は、３．５ｍｍまたは４．０ｍｍ非係止ねじであり得、かつ１ｍｍまでの圧縮または伸延を提供し得る。ねじ１６０は、ねじ１６０のヘッド１６４の下表面１６２に沿ってリブ１３２と係合し、このためヘッド１６４は、プレート１００の上位表面１０６の上に延在するヘッド１６２の量を最小化するように、大部分が、そうでない場合、完全にスロット１３０内にある。
【００３９】
図１及び４を参照すると、プレート１００において提供され得る第４の種類の貫通開口部は、遷移部分１１３に位置する靭帯孔１４０である。靭帯孔１４０は、３つの種類の固定、（１）縫合糸ボタン１９０、（２）非係止ねじ１６０、または（３）係止ねじ１７０を受容し得る。
【００４０】
図４の孔１４０の断面を特に参照すると、孔１４０は、プレート１００の下位表面１０７からプレート１００の上位表面１０６に少なくとも３つの異なる同軸ボアを含む。第１のボアは、貫通開口部１１４のねじ山付き部分１１６に類似のねじ山付き部分１４２を含み、そのボアは、第１の直径Ｄ１を有する。
【００４１】
貫通開口部１１４と同様、孔１４０の第２のボアは、ねじ山付き部分１４２の上、かつそれに隣接して位置する円錐側壁１４６を有するねじ山なし円錐部分１４４を有する。孔１４０の第２のボアは、直径Ｄ１よりも大きい最大直径Ｄ２を有する。
【００４２】
貫通開口部１１４と比べて、孔１４０は、最大直径Ｄ２よりも大きい直径Ｄ３を有するボウル部分１５０を備える第３のボアをさらに含む。ボウル部分１５０は、縫合糸を介して接続された２つの金属ボタン１９０、１９６を含む縫合糸ボタンシステムの使用のためのものである。ボタン１９６は、骨５０（図５で示される）の離れた皮質と相互作用し、一方でボタン１９０は、骨プレート１００と相互作用する。このボタンシステムは、乱れた接合または骨折に対する安定性を提供し、ある種類の移動安定性も提供する。ボタン１９０、１９６の使用は、靭帯結合が乱れたときの靭帯結合に対する処置の方法であり得る。乱れた靭帯結合の別の種類の固定は、上記の骨ねじであり、これは、縫合糸ボタンシステムよりも硬い固定である。
【００４３】
図４を参照すると、ボウル部分１５０は、円錐部分１４６の上にあり、かつそれに隣接する。円錐部分１４６は、ボウル部分１５０に近位で直径Ｄ２の最大直径を有する。ボウル部分１５０は、最大直径よりも大きいボウル直径を備える。ボウル部分１５０とねじ山付き部分１４２（つまり、円錐部分１４４）との間の遷移は、面取りとして図４で示されるが、代替的に丸みを帯びてもよい。
【００４４】
ボウル部分１５０は、側壁１５２を含み、これは、ボウル部分１５０及び側壁１５２と円錐部分１４４との間の環状表面１５４の周囲を囲む。環状表面１５４は、円錐部分１４４の側壁１４６を囲む。ボウル部分１５０は、環状表面１５４と係合し、かつ側壁１５２内にぴったり合うように構成された下位表面１９２（図５で示される）を有するボタン１９０を受容及び保持するように構成される。
【００４５】
図１を参照すると、ボタン１９０はまた、下位表面１９２が環状表面１５４と係合しているとき、孔１４０と連通している少なくとも１つのねじ孔１９４を含む。
【００４６】
図５を参照すると、第１のボタン１９０は、孔１４０のボウル部分１５０内への挿入のために構成され、第２のボタン１９６は、骨プレート１００から遠位の骨５０と係合するように構成される。縫合糸（図示せず）は、骨５０、及びボタン１９０、１９６間のプレート１００を圧縮するために、ねじ孔１９４を通り、プレート１００及び骨５０を通って穿孔された通路５４を通って第２のボタン１９６に延在する。
【００４７】
第５の一式の貫通孔１５８は、プレート１０００の遠位端部１１０に提供される。孔１５８は、係止ねじ１９８を受容するように構成され得る。例示的な実施形態において、孔１５８は、例えば、２．５ｍｍ係止ねじ１９８を受容するようにねじ山が付けられ得る。複数の孔１５８（プレート１００で示されるように約７個）は、プレート１００の遠位端部１１０を骨５０にしっかり固定するために提供される。孔１５８は、長手方向軸１０４に沿うようには制約されず、代わりに骨に対するしっかりした固定のための複数のねじ接続を提供するようにプレート１００の幅に沿って位置する。
【００４８】
図６で示されるプレート２００の第２の実施形態は、後側方遠位腓骨プレートである。プレート２００は、腓骨の後面に遠位に着座し、かつプレート２００が近位に移動するように側方表面を取り囲む。プレート２００は、後方外科アプローチを容易化するために使用され得る。プレート１００と同様に、プレート２００は、上記の靭帯孔１４０に類似の靭帯孔２４０を含む、種々の異なる貫通開口部を有し得る。
【００４９】
プレート２００は、靭帯孔２４０に近位の遷移部分２０４を含む略平面的な本体２０２を有し、本体２０２は、腓骨の後面に順応するように輪郭付けられた形状に遷移する。
【００５０】
フックプレート３００（「プレート３００」）の第３の実施形態が、図７〜９で示される。プレート３００は、例えば、脛骨または腓骨のかなり遠位の骨折のために使用され得る。フックプレート３００は、概して中心長手方向軸３０４に沿って延在する長尺本体３０２を有する。プレート３００は、近位端部３０８と遠位端部３１０との間に延在する略平面的な上部表面３０６を有する。本体部分３１２は、近位端部３０８と遠位端部３１０との間に延在する。プレート３００は、上部表面３０６に対して直交する中心長手方向軸３０４を通って延在する平面の周りで対称である。
【００５１】
例示的な実施形態において、近位端部３０８は、平滑な丸みを帯びた面を含む。平滑な丸みを帯びた面は、不注意に係合すること、及びいかなる隣接組織を切り裂くことの潜在性も排除する。
【００５２】
本体部分３１２は、重ねて、不注意に係合すること、及びいかなる隣接組織を切り裂くことの潜在性も排除するために、平滑な丸みを帯びた表面を含み、略平面的である。本体部分３１２はまた、その中に形成された複数の貫通開口部３１４を含む。貫通開口部３１４は、長尺スロットであり、かつ固設部材挿入位置のある範囲を可能にする。例示的な実施形態において、２つの長尺貫通開口部３１４が提供されるが、当業者は、プレート３００及び貫通開口部３１４の長さに応じて、２つよりも多いかまたは２つ未満の貫通開口部３１４が提供され得ることを認識するであろう。
【００５３】
貫通開口部３１４は、固設部材３１８が各貫通開口部３１４の長さに沿って有限位置で挿入されることを可能にするために略平滑な側壁を含む。リブ３２０は、上部表面３０６の下で貫通開口部３１４の内周の周囲に延在し得る。例示的な実施形態において、固設部材３１８は、３．５ｍｍまたは４．０ｍｍ非係止ねじであり得、かつ１ｍｍまでの圧縮または伸延を提供し得る。固設部材３１８は、固設部材３１８のヘッド３２２の下表面に沿ってリブ３２０と係合し、このためヘッド３２２は、プレート３００の上部表面３０６の上に延在するヘッド３２２の量を最小化するように、大部分が、そうでない場合、完全に貫通開口部３１４内にある。
【００５４】
貫通開口部３１６は、プレート３００のいずれかの端部に位置し得る。貫通開口部３１６は、上記の「積層」設計を介して係止及び非係止ねじのうちのいずれか一方を受容し得るシャフト孔である。第１の貫通開口部３１６は、近位端部３０８に位置し、第２の貫通開口部３１６は、遠位端部３１０に位置する。
【００５５】
図８及び９を参照すると、遠位端部３１０は、本体部分３１２の平面から離れて延在するアーチ状表面３３０を含み、脛骨または腓骨のいずれかの遠位骨片を捕捉するために使用される。アーチ状表面３３０は、本体部分３１２から約１００度〜約１６０度、約１２５度〜約１５５度、または約１３５度〜約１５０度の角度βを有するアーチにおいて延在する。少なくとも１つの貫通開口部３１６は、アーチ状表面３３０を通って延在する。
【００５６】
アーチ状表面３３０の最遠位端部３３２は、２つの分離フック３３４、３３６を有するフックアセンブリを含む。各フック３３４、３３６は、それぞれ平坦表面３３５、３３７を含み、各平坦表面３３５、３３７は、それぞれ態様する切断エッジ３３８、３４０を含む。切断エッジ３３８、３４０は、長手方向軸３０４に直交的に曲げられる単一線３４２に沿って延在し、脛骨または腓骨において骨材料と係合し、その中を掘り込むように使用される。
【００５７】
切断エッジ３３８、３４０を除いて、アーチ状表面３３０及びフック３３４、３３６の全てのエッジは、重ねて、不注意に係合すること、及びいかなる隣接組織を切り裂くことの潜在性も排除するために、平滑な丸みを帯びた表面を有する。
【００５８】
本明細書で説明された骨プレート１００、２００、３００は、足首の骨折の処置のために特に構成され得る。特に、これらのプレート１００、２００、３００は、側方遠位腓骨または後側方遠位腓骨、及び／または遠位脛骨を含む遠位腓骨の処置のために特に好適であり得る。これらの解剖学的構造の骨プレート１００、２００、３００は、足首の骨折の改善された処置方法を容易化し得、外科医の選好に基づいて複数の処置選択肢を提供することができる。
【００５９】
図１０は、上記のプレート１００、２００、３００のうちのいずれか、及び図示されていない他の骨プレートと使用され得る、組み合わせ深さゲージ及びドリルガイド器具４００（「器具４００」）を示す。器具４００は、プレート１００、２００、３００のうちの１つの固定について、どれくらい遠くへ骨内に穿孔するかを判定するために使用される。
【００６０】
器具４００は、近位端部４０４、遠位端部部分４０６、及び近位端部４０４と遠位端部部分４０６との間に延在する本体４０８を含む長尺本体４０２を有する。本体４０８は、近位端部４０４と遠位端部部分４０６との間の連通のための中空通路４１０を含む。通路４１０は、ドリル（図示せず）が近位端部４０４で器具５００内に挿入され、本体４０８を通り、遠位端部部分４０６で遠位先端４１２の外に出ることを可能にするように十分に大きい。例示的な実施形態において、通路４１０は、開放スロットである。代替的な例示的実施形態において、通路４１０は、本体４０２の長さに沿った閉じた通路であり得、通路４１０内の可視化を可能にするように透明部分（図示せず）を含む。
【００６１】
本体４０８は、ドリルの先端が骨内を掘り進んだ距離を示すためにそこに印刷された目盛４１４を含む。例示的な実施形態において、目盛４１４は、通路４１０の方向に対して横断して延在する一連の離間された線であり、ミリメートルにおける線の離間を有し、指示数字が各線に提供される。
【００６２】
遠位先端４１２は、例えば、骨プレート１００、２００、３００上のそれぞれの貫通開口部１１４、２４０、３１６等のねじ山付き孔内に螺合するように構成され得る。ドリル（図示せず）は、その後、器具４００の通路４１０を通って配置され、ねじのためのパイロット孔を穿孔するように使用され得る。ドリルは、較正され、目盛線及びプレート１００、２００、３００と使用されるねじの長さを判定するために示すようにその関連数値に対応する、そのシャフト上で指示する深さを有する。通路４１０は、ドリル上の指示を確認するために使用される。この特徴は、穿孔及び測定におけるステップを省き、これらの２つのステップを同一ステップに組み合わせるが、先行技術標準は、第１の器具として専用のドリルガイド、及び第２の器具として専用の深さゲージを有する。
【００６３】
本発明が、具体的な実施形態を参照して詳細に説明されたが、当業者にとって、種々の変化及び変更が、本発明の概念及び範囲から逸脱することなくなされ得ることが明らかであろう。したがって、本発明が、提供された本発明の変更及び変形を包含し、それらが添付の請求項及びその等価物の範囲内にあることが意図される。例えば、本明細書において幅広く列挙された全ての範囲が、より広い範囲に収まる全てのより狭い範囲をその範囲内に含むことが明白に意図される。上記の種々の機器の構成要素が、任意の好適な構成において組み合わされるか、または変更され得ることがまた意図される。
【図１】
2018134395.tif 000003
【図２】
2018134395.tif 000004
【図３】
2018134395.tif 000005
【図３Ａ】
2018134395.tif 000006
【図４】
2018134395.tif 000007
【図５】
2018134395.tif 000008
【図６】
2018134395.tif 000009
【図７】
2018134395.tif 000010
【図８】
2018134395.tif 000011
【図９】
2018134395.tif 000012
【図１０】
2018134395.tif 000013
【外国語明細書】
2018134395000001.pdf